(57)【要約】【課題】機内の結露の発生を抑制する除湿制御機能を備える装置を提供する。【解決手段】装置は、機外温度を検出する第１温度検出部４０８と、メインスイッチ５０４と、内部の結露を防止するための第１除湿ヒータ１０４及び第２除湿ヒータ１０５と、を備える。装置は、メインスイッチ５０４がオフのときに、第１除湿ヒータ１０４及び第２除湿ヒータ１０５を動作させる。装置は、メインスイッチ５０４がオンのときに、機外温度が所定温度より高ければ第１除湿ヒータ１０４及び第２除湿ヒータ１０５を停止させる。装置は、メインスイッチ５０４がオンのときに、機外温度が所定温度未満であれば、第１除湿ヒータ１０４及び第２除湿ヒータ１０５を動作させる。【選択図】図６
2019124825.tif 000002
【特許請求の範囲】
【請求項１】
装置の機外温度を検出する第１温度検出手段と、
メインスイッチと、
前記装置の内部の結露を防止する除湿手段と、
前記メインスイッチがオフのときに前記除湿手段を動作させ、前記メインスイッチがオンになると、前記第１温度検出手段により検出された前記機外温度が所定温度より高いときは前記除湿手段を停止させ、前記機外温度が所定温度未満であるときは前記除湿手段を動作させる制御手段と、を備えることを特徴とする、
装置。
【請求項２】
前記除湿手段は、発熱するヒータを備えることを特徴とする、
請求項１記載の装置。
【請求項３】
前記制御手段は、前記機外温度が前記所定温度未満であるときに、所定の時間だけ前記除湿手段を動作させることを特徴とする、
請求項１又は２記載の装置。
【請求項４】
前記装置の機内温度を検出する第２温度検出手段をさらに備えており、
前記制御手段は、前記機内温度が所定の閾値温度を超えるまで、前記除湿手段を動作させることを特徴とする、
請求項１〜３のいずれか１項記載の装置。
【請求項５】
前記制御手段は、前記機内温度が、前記装置を構成する部品の品質を保証する前記閾値温度を超えるまで、前記除湿手段を動作させることを特徴とする、
請求項４記載の装置。
【請求項６】
前記制御手段は、前記機外温度が前記所定温度未満であるときに、前記装置の自己発熱により前記機内温度の変動幅が所定の温度範囲内に安定するまで、前記除湿手段を動作させることを特徴とする、
請求項４又は５記載の装置。
【請求項７】
原稿から画像を読み取る読取手段をさらに備えており、
前記制御手段は、前記機外温度が所定温度未満で前記除湿手段を動作させた後に、前記読取手段による前記画像の読み取りがリクエストされると、前記除湿手段を停止させてから前記読取手段に前記画像を読み取らせることを特徴とする、
請求項１〜６のいずれか１項記載の装置。
【請求項８】
前記制御手段は、前記読取手段による処理が終了すると、停止させた前記除湿手段を再び動作させることを特徴とする、
請求項７記載の装置。
【請求項９】
装置の機外温度を検出する第１温度検出手段と、メインスイッチと、前記装置の内部の結露を防止する除湿手段と、を備える装置により実行される方法であって、
前記メインスイッチがオフのときに前記除湿手段を動作させ、
前記メインスイッチがオンになると、前記第１温度検出手段により検出された前記機外温度が所定温度より高いときは前記除湿手段を停止させ、前記機外温度が所定温度未満であるときは前記除湿手段を動作させることを特徴とする、
結露防止方法。
【発明の詳細な説明】
【技術分野】
【０００１】
本発明は、機内の結露の発生を抑制する除湿制御機能を備える画像読取装置等の装置に関する。
【背景技術】
【０００２】
ファクシミリ装置、複写機、ＭＦＰ（Multifunction Peripheral）等の画像形成装置は、装置の設置環境に応じて結露が発生することがある。結露は、例えば、夜間から朝方の冷え込みと、オフィスにおいて始業時に空調設備が稼働することによる室温の急激な上昇と、に起因して発生する。画像形成装置は、結露対策として、内部に除湿を目的とした発熱装置である除湿ヒータを備えることがある。除湿ヒータは、例えば夜間に画像形成装置のメインスイッチがオフされたときに給電されて、翌朝に画像形成装置のメインスイッチがオンされるまでの間、機内を加温する。画像形成装置の内部は、除湿ヒータにより暖められて、飽和水蒸気圧が高い状態で維持される。
【０００３】
画像形成装置の内部温度は、メインスイッチがオンされて除湿ヒータへの給電が停止されると、除湿ヒータによる保温効果がなくなって徐々に低下する。この画像形成装置の内部温度の低下は、画像形成装置の大部分が夜間から朝方に掛けて除湿ヒータにより暖められている部分を除いて極端に冷めた状態になっていることに起因する。即ち、全体的に冷え切った画像形成装置の本体が、機内温度の低下を助長している。機内温度の低下は、画像形成装置のメインスイッチがオンされたことによって通電される画像形成装置内の制御モジュールの自己発熱で抑制される。制御モジュールの発熱量は、除湿ヒータに比べると少ない。しかし、制御モジュールの自己発熱は、所定の時間を掛けて機内温度を一定温度まで上昇させることで、結露の発生を抑制する。特許文献１は、メインスイッチがオン状態であっても、除湿ヒータへ所定のタイミングで給電することで、結露の発生を防止する画像形成装置を開示する。
【先行技術文献】
【特許文献】
【０００４】
【特許文献１】特開２００６−２４２９８１号公報
【発明の概要】
【発明が解決しようとする課題】
【０００５】
画像形成装置は、低温、高湿度になる場所に長時間放置された後に空調等により周囲の温度が急上昇すると、内部に結露が生じる。特に筐体等の金属部分やガラス部分等は、低温、高湿度の場所で温度が低くなっており、筐体の隙間から流入する暖まった空気を冷やしてしまう。暖まった空気が冷やされることで、機内の飽和水蒸気量が低下して、金属面やガラス面等に結露が生じる。結露は、画像の読み取りや画像形成に影響して、形成する画像の不良の原因となる。そのために低温、高湿度になりやすい地域に出荷される画像形成装置は、結露防止用の除湿ヒータが設けられて、結露を生じにくくなっている。
【０００６】
除湿ヒータは、画像形成装置内の取り付け場所に制約がある。そのために、除湿ヒータは、結露が発生してほしくない部品の近くに取り付けられるとは限らず、当該部品を直接加熱するとは限らない。メインスイッチがオフの場合に除湿ヒータを稼働し、メインスイッチがオンの場合に除湿ヒータを停止する様な排他制御が行われる場合、除湿ヒータの停止に伴い画像形成装置の機内温度の低下が進む。メインスイッチがオンされたことによる画像形成装置の各部品の自己発熱量は、除湿ヒータより少ない。そのために除湿ヒータが停止する前の温度まで機内温度を戻すには、時間が掛かる。画像形成装置の機内温度が元に戻る前に、空調制御によって急激に暖められた外気が画像形成装置内に流入すると、上記の通り、機内の飽和水蒸気量が下がる。そのために画像読取装置の金属フレームや、プラテンガラス、流し読みガラス、光学部品等に結露が発生してしまう。
【０００７】
本願発明は、上記の問題に鑑み、機内の結露の発生を抑制する除湿制御機能を備える装置を提供することを主たる目的とする。
【課題を解決するための手段】
【０００８】
本発明の装置は、装置の機外温度を検出する第１温度検出手段と、メインスイッチと、前記装置の内部の結露を防止する除湿手段と、前記メインスイッチがオフのときに前記除湿手段を動作させ、前記メインスイッチがオンになると、前記第１温度検出手段により検出された前記機外温度が所定温度より高いときは前記除湿手段を停止させ、前記機外温度が所定温度未満であるときは前記除湿手段を動作させる制御手段と、を備えることを特徴とする。
【発明の効果】
【０００９】
本発明によれば、機内の結露の発生を未然に防止することができる。
【図面の簡単な説明】
【００１０】
【図１】画像形成装置の外観図。
【図２】画像読取装置の構成説明図。
【図３】キャリッジの構成説明図。
【図４】（ａ）、（ｂ）は結露の発生位置の説明図。
【図５】コントローラの構成図。
【図６】画像読取装置への電力供給図。
【図７】（ａ）、（ｂ）は画像読取装置の加熱処理の説明図。
【図８】画像読取装置の機内温度の推移の説明図。
【図９】飽和水蒸気圧曲線の例示図。
【図１０】（ａ）、（ｂ）は結露防止処理を表すフローチャート。
【図１１】結露防止処理を表すフローチャート。
【図１２】結露防止処理を表すフローチャート。
【図１３】画像読取装置の他の構成例示図。
【発明を実施するための形態】
【００１１】
本実施形態の画像形成装置について、図面を参照しながら詳細に説明する。
【００１２】
（構成）
図１は、本実施形態の画像形成装置の外観図である。画像形成装置４１８は、原稿から画像を読み取る画像読取装置１０１、画像読取装置１０１へ原稿を搬送する原稿搬送装置（ＡＤＦ：Auto Document Feeder）４１７、及び操作部６０１が取り付けられている。
【００１３】
操作部６０１は、操作パネル６０２、入力キー６０３等を備えるユーザインタフェースである。ユーザは、操作部６０１により画像形成装置４１８の動作の設定（コピー枚数、両面印刷等）を行うことができる。操作パネル６０２は、ディスプレイとして機能し、装置状態（トナー無し状態、シート無し状態等）の表示が可能である。操作パネル６０２は、タッチパネルとして機能してもよい。入力キー６０３が押下されることで、画像形成装置４１８、画像読取装置１０１、及び原稿搬送装置４１７が動作を開始する。
【００１４】
原稿搬送装置４１７は、１枚以上の原稿を載置可能な原稿トレイ６０５を備える。原稿搬送装置４１７は、原稿トレイ６０５に積載された原稿を１枚ずつ画像読取装置１０１の読取位置へ搬送する。画像読取装置１０１は、原稿搬送装置４１７から搬送される原稿を読み取る。画像読取装置１０１は、読み取った原稿の画像を表す画像データを生成して、画像形成装置４１８へ送信する。原稿は、原稿搬送装置４１７から搬送される他に、後述の原稿台ガラス上に載置されて画像読取装置１０１に読み取られてもよい。画像形成装置４１８は、画像データに応じた画像をシートに形成し、画像形成後のシートを排紙部６０７に排出する。
【００１５】
画像形成装置４１８は、トナー交換やジャム処理時に開放される前扉６０４を備える。画像形成装置４１８は、前扉６０４内側の機内の温度の影響を受け難く且つ外気に近い位置に、第１温度検出部４０８及び湿度検出部４０９を備える。本実施形態では、第１温度検出部４０８及び湿度検出部４０９が小基板にアセンブリされた一体型ユニットとして提供される。
【００１６】
図２は、画像読取装置１０１の構成説明図である。画像読取装置１０１は、原稿から画像を読み取るための読取部であるキャリッジ２０１を内蔵する。画像読取装置１０１は、原稿搬送装置４１７が設けられる面に、原稿台ガラス１０３及び流し読みガラス１０２を備える。原稿は、原稿台ガラス１０３に、読み取られる面を画像読取装置１０１側に向けて載置される。流し読みガラス１０２は、原稿搬送装置４１７により搬送される原稿を読み取るときの読取位置になる。
【００１７】
キャリッジ２０１は、摺動軸１０９上に摺動部材１１０を介して設けられており、摺動軸１０９の方向に沿って摺動可能に構成されている。画像読取装置１０１は、キャリッジ２０１を摺動するためにモータ１０６、プーリー１０７、及びタイミングベルト１０８を備える。タイミングベルト１０８は、プーリー１０７に巻き回されてキャリッジ２０１の底面に設けられる不図示の挟み込み部材に固定される。モータ１０６の駆動力は、プーリー１０７によりタイミングベルト１０８に伝達される。タイミングベルト１０８は、モータ１０６から伝達された駆動力により回転し、キャリッジ２０１を摺動軸１０９の方向に摺動させる。
【００１８】
キャリッジ２０１は、カードケーブル１１４により画像形成装置４１８に設けられる後述の画像処理部に接続される。カードケーブル１１４は、電源ライン及びシリアル通信ラインを含み、電源電圧の供給及び信号伝送を行う。カードケーブル１１４は、樹脂製のカードケーブルガイド１１３に嵌め込まれる。これによりカードケーブル１１４は、画像読取装置１０１の金属フレームに対して所定の距離だけ離れて配線される。
【００１９】
キャリッジ２０１は、摺動軸１０９上を移動しながら原稿台ガラス１０３上に載置される原稿を走査することで該原稿の原稿画像を読み取る。キャリッジ２０１は、原稿画像の読取結果を、カードケーブル１１４を介して画像処理部に送信する。キャリッジ２０１は、走査終了後にホームポジションへ移動する。ホームポジションにはホームポジション（ＨＰ）センサ１１１が配置される。キャリッジ２０１は、フラグ１１２を備える。キャリッジ２０１がホームポジションに移動することで、フラグ１１２がＨＰセンサ１１１を通過する。フラグ１１２がＨＰセンサ１１１通過することで、キャリッジ２０１の原稿走査制御が完了する。
流し読みガラス１０２は、原稿搬送装置４１７から原稿が一定速度で搬送される。キャリッジ２０１は、原稿搬送装置４１７から搬送された原稿を読み取る場合に、流し読みガラス１０２の下に位置して移動しない。キャリッジ２０１は、流し読みガラス１０２上を搬送中の原稿を読み取る。
キャリッジ２０１の構成の詳細は後述するが、原稿画像読取時の主走査方向は、摺動軸１０９の軸方向に直交する方向である。摺動軸１０９の軸方向が副走査方向になる。
【００２０】
画像読取装置１０１は、原稿台ガラス１０３上に載置された原稿の副走査方向のサイズを検出するために、反射型センサ１１５、１１６を備える。画像読取装置１０１は、内部に複数の除湿ヒータ、本実施形態では第１除湿ヒータ１０４及び第２除湿ヒータ１０５を備える。第１除湿ヒータ１０４及び第２除湿ヒータ１０５は、画像読取装置１０１内部の結露を防止するために設けられる発熱装置である。第１除湿ヒータ１０４及び第２除湿ヒータ１０５の制御については後述する。
【００２１】
図３は、キャリッジ２０１の構成説明図である。キャリッジ２０１は、読み取り時に原稿に光を照射するための、照明部２０５、導光体２０６、及び反射ミラー２０７を備える。照明部２０５は、例えば複数のＬＥＤ（Light Emitting Diode）素子を放熱性の高い基板２１６上に配列して構成される。
【００２２】
複数のＬＥＤ素子の照射光は、導光体２０６に漏れなく照射され、導光体２０６内で主走査方向に光量が均等になるように均される。照射光は、導光体２０６から直接原稿に照射される照射光２１８と、反射ミラー２０７により反射されて原稿に照射される照射光２１７と、に分けられる。これは、原稿に対して副走査方向の両側から光を照射することで、切り貼り原稿等の読取面に凹凸のある原稿であっても、読み取った画像に影を生じさせないためである。照射光２１７、２１８は原稿台ガラス１０３上に載置された原稿２０９によって反射される。
【００２３】
キャリッジ２０１は、原稿２０９による反射光を受光する光電変換部２０３と、反射光を光電変換部２０３に導く光学系と、を備える。光学系は、反射ミラー２１０、２１１、２１２、２１３、２１４及び集光レンズ２０４を備える。光電変換部２０３は、複数の受光素子２１５により構成され、光電変換基板２０２に実装される。モノクロ専用の場合、光電変換部２０３は、カラーフィルタの無い受光素子２１５の列により構成される。カラー画像を読み取り可能な場合、光電変換部２０３は、Ｒ（赤）、Ｇ（緑）、Ｂ（青）のカラーフィルタを搭載した３ラインの受光素子２１５の列、或いはこの３ラインに黒受光用の受光素子２１５の列を含む４ラインの受光素子２１５により構成される。受光素子２１５は、主走査方向に直線状の１ラインを構成する。反射ミラー２１０、２１１、２１２、２１３、２１４により導かれた反射光は、集光レンズ２０４により受光素子２１５の受光面に結像する。なお光電変換基板２０２には、光電変換部２０３の他に、キャリッジ２０１の動作を制御するための複数の部品が実装される。光電変換基板２０２の詳細については後述する。
【００２４】
図４は、画像読取装置１０１内の結露の発生位置の説明図である。図４（ａ）は、画像読取装置１０１の筐体内の結露の発生位置３０１、３０２を明示する。発生位置３０１、３０２は、いずれも原稿台ガラス１０３である。結露は、原稿台ガラス１０３の機内側の面に発生する可能性がある。流し読みガラス１０２も同様に、機内側の面に結露が発生する可能性がある。
図４（ｂ）は、キャリッジ２０１内部の結露の発生位置３０３〜３０９を明示する。発生位置３０３〜３０７は、いずれも反射ミラー２１０〜２１４のミラー面全域である。発生位置３０８は、集光レンズ２０４のレンズ表面である。発生位置３０９は、光電変換部２０３の受光素子２１５を封止するために設けられるガラスである。結露は、これらの発生位置３０３〜３０９に発生する可能性がある。
【００２５】
画像読取装置１０１に結露が生じた場合、原稿への照射光及び反射光は、原稿台ガラス１０３を透過できなくなる。また、反射光が反射ミラー２１０〜２１４で乱反射する。そのために画像読取装置１０１は、原稿を光学的に正確に走査できなくなる。この場合、画像読取装置１０１は、結露が完全に無くなるまで原稿を読み取ることができなくなる。そのために画像形成装置４１８は、画像読取装置１０１を用いた複写などができなくなり、ダウンタイムが発生する。第１除湿ヒータ１０４及び第１除湿ヒータ１０５は、発熱することで、このような結露の発生を防止する。
【００２６】
（コントローラ）
図５は、画像形成装置４１８、画像読取装置１０１、及び原稿搬送装置４１７の動作を制御するコントローラの構成図である。なお、図５は、画像形成装置４１８によるシートへの画像形成に関する構成について省略してある。
【００２７】
画像形成装置４１８は、メインコントローラ４０５及びＤＣコントローラ４０６を備える。ＤＣコントローラ４０６には、第１温度検出部４０８及び湿度検出部４０９が接続される。メインコントローラ４０５は、システムコントローラ４０１、画像処理部４０２、及びモータドライバ４１９を備える。システムコントローラ４０１は、画像形成装置４１８の動作を制御する。画像処理部４０２は、画像読取装置１０１及び原稿搬送装置４１７にカードケーブル１１４により接続され、画像読取装置１０１及び原稿搬送装置４１７の動作を制御する制御装置である。
【００２８】
画像処理部４０２は、キャリッジ２０１を移動させるためのモータ１０６の駆動制御を、モータドライバ４１９により行う。画像処理部４０２は、画像読取装置１０１が読み取った原稿の画像に対して所定の画像処理を行う。画像処理部４０２は、ＨＰセンサ１１１の検出結果を取得して、この検出結果に応じてモータ１０６の駆動制御を行うことで、キャリッジ２０１の位置制御を行う。ＨＰセンサ１１１がオープンコレクタ出力タイプである場合、画像処理部４０２とＨＰセンサ１１１との結線にプルアップ抵抗が設けられる。
【００２９】
画像処理部４０２は、原稿搬送装置４１７が備えるドライバ４１４を駆動制御して、原稿搬送装置４１７による原稿の搬送制御を行う。ドライバ４１４は、原稿を搬送する搬送ローラ等の搬送部を駆動する給紙モータ４１５及びレジモータ４１６の駆動制御を行う。給紙モータ４１５及びレジモータ４１６は、例えば搬送ローラを回転させることで原稿を搬送制御する。
【００３０】
画像処理部４０２は、例えばＡＳＩＣ（Application Specific Integrated Circuit）により構成される。画像処理部４０２は、ＡＲＭ（登録商標）４０４、ＲＯＭ（Read Only Memory）４２０、及びＲＡＭ（Random Access Memory）４２１を備える。ＡＲＭ（登録商標）４０４は、ＣＰＵ（Central Processing Unit）アーキテクチャーに相当する。ＡＲＭ（登録商標）４０４は、ＲＯＭ４２０に格納されるコンピュータプログラムを、ＲＡＭ４２１を作業領域に用いて実行することで、画像読取装置１０１の及び原稿搬送装置４１７の動作を制御する。なお画像処理部４０２は、本実施形態ではメインコントローラ４０５に含まれるが、画像読取装置１０１側に設けられた構成であってもよい。
【００３１】
画像処理部４０２は、キャリッジ２０１の動作を制御して、原稿の走査（読取）を実行する。画像処理部４０２は、キャリッジ２０１を構成する光電変換基板２０２にカードケーブル１１４を介して接続される。光電変換基板２０２は、光電変換部２０３の他に、直流（ＤＣ）電源４１０、ＡＦＥ（Analog Front End）４１１、及び照明制御部４１２を備える。画像読取装置１０１は、光電変換部２０３及びＡＦＥ４１１のいずれか一方に、サーミスタを組み込んだ第２温度検出部４１３を有する。本実施形態では、光電変換部２０３に第２温度検出部４１３が設けられる。第２温度検出部４１３は、画像読取装置１０１内の機内温度の検出に用いられる。このような構成により、画像読取装置１０１は、温度センサの新規追加に伴うコストアップを事実上無くし、実装位置の制約を受けることなく、第２温度検出部４１３を搭載可能となる。
【００３２】
画像処理部４０２は、ＤＣ電源４１０に５［Ｖ］以上の電圧（本実施形態では６［Ｖ］）を供給する。５［Ｖ］以上とするのは、伝送距離に応じた電位ドロップを補填するためである。画像処理部４０２は、照明制御部４１２が備える不図示の昇圧回路に１２［Ｖ］の電圧を供給する。照明制御部４１２は、供給される１２［Ｖ］の電圧から、照明部２０５に給電する３８［Ｖ］の電圧を生成する。画像処理部４０２は、光電変換部２０３及びＡＦＥ４１１との間でシリアル通信を行う。画像処理部４０２は、光電変換部２０３から原稿の画像の読取結果（アナログ画像信号）を取得して、ＡＦＥ４１１により、このアナログ画像信号の画像処理を行う。画像処理部４０２は、ＡＦＥから画像処理によりアナログ画像信号から変換されたデジタル画像信号（画像データ）を取得する。
【００３３】
システムコントローラ４０１は、ＣＰＵ４０３、ＲＯＭ４２２、及びＲＡＭ４２３を備える。ＣＰＵ４０３は、ＲＯＭ４２２に格納されるコンピュータプログラムを、ＲＡＭ４２３を作業領域に用いて実行することで、画像形成装置４１８の画像形成処理を制御する。システムコントローラ４０１は、操作部６０１から入力される指示等に応じて、画像読取装置１０１や画像形成装置４１８の動作指示を、画像処理部４０２やＤＣコントローラ４０６に送信する。システムコントローラ４０１は、画像形成処理の際に、例えば画像形成装置４１８内の不図示の露光器のレーザ光による感光体の走査を制御する。
【００３４】
ＤＣコントローラ４０６は、ＣＰＵ４０７、ＲＯＭ４２４、ＲＡＭ４２５、及び不揮発性メモリ４２６を備える。ＣＰＵ４０７は、ＲＯＭ４２４に格納されるコンピュータプログラムを、ＲＡＭ４２５を作業領域に用いて実行することで、画像形成装置４１８のシート搬送、高圧、及び定着処理を制御する。不揮発性メモリ４２６は、例えばＥＥＰＲＯＭ（Electrically Erasable Programmable Read-Only Memory）であり、バックアップメモリとして用いられる。ＤＣコントローラ４０６は、第１温度検出部４０８及び湿度検出部４０９の検出結果を個別に取得して、システムコントローラ４０１へ、取得した検出結果を送信する。ＤＣコントローラ４０６は、原稿の読取時（走査時）或いは画像形成時に第１除湿ヒータ１０４及び第２除湿ヒータ１０５への給電を制御する。これにより除湿モードにおける消費電力を抑制することができる。
【００３５】
図６は、画像読取装置１０１への電力供給図である。ここでは、第１除湿ヒータ１０４及び第２除湿ヒータ１０５の動作制御についても説明する。画像形成装置４１８は、商用電源５０１から供給される電力により動作する。画像形成装置４１８は、メインスイッチ５０４を備え、メインスイッチ５０４がオンされることで起動する。画像形成装置４１８は、商用電源５０１からの電力の供給経路に、交流（ＡＣ）フィルタ５０２、常夜電源５０３、第１リレー５０５、メイン電源５０６、及び第２リレー５０７を備える。
【００３６】
商用電源５０１は、ＡＣフィルタ５０２を介して常夜電源５０３、第１リレー５０５、及び第２リレー５０７に電力を供給する。第１リレー５０５は、メインスイッチ５０４がオフされた状態では遮断状態である。第２リレー５０７は、メインスイッチ５０４がオフされた状態では導通状態である。常夜電源５０３は、夜間等でメインスイッチ５０４がオフされた状態であっても、画像形成装置４１８がファクシミリ受信や印刷ジョブの要求等の各種ジョブを受け付けた際に起動するための電力を供給する。常夜電源５０３は、ＤＣコントローラ４０６及びシステムコントローラ４０１へ電力を供給する。ＤＣコントローラ４０６及びシステムコントローラ４０１は、メインスイッチ５０４がオフされた状態で各種ジョブを受け付けた際に、常夜電源５０３から供給される電力により起動する。
【００３７】
ＤＣコントローラ４０６は、メインスイッチ５０４がオンされること、或いはジョブを受け付けることで常夜電源５０３から供給される電力により起動すると、第１リレー５０５を導通状態に切り替える。第１リレー５０５が導通状態になることで、商用電源５０１からメイン電源５０６に電力が供給される。メイン電源５０６は、商用電源５０１から供給される電力により、例えばＤＣ２４［Ｖ］、ＤＣ３８［Ｖ］、ＤＣ１２［Ｖ］、ＤＣ５［Ｖ］等の内部電圧を生成して、ＤＣコントローラ４０６及びシステムコントローラ４０１に供給する。これによりＤＣコントローラ４０６及びシステムコントローラ４０１は、通常の動作が可能となる。
【００３８】
第２リレー５０７は、商用電源５０１から供給される電力の第１除湿ヒータ１０４及び第２除湿ヒータ１０５への供給制御を行う。第２リレー５０７の導通、遮断を制御することで、第１除湿ヒータ１０４及び第２除湿ヒータ１０５による除湿が制御される。この除湿制御により、画像読取装置１０１内の結露が防止される。ＤＣコントローラ４０６は、常夜電源５０３から電力が供給される場合に、第２リレー５０７を導通状態にして、第１除湿ヒータ１０４及び第２除湿ヒータ１０５に給電する。ＤＣコントローラ４０６は、メイン電源５０６から電力が供給される場合に、第２リレー５０７を遮断状態にして、第１除湿ヒータ１０４及び第２除湿ヒータ１０５への給電を遮断する。第１除湿ヒータ１０４及び第２除湿ヒータ１０５は、このように給電制御されることで、基本的にはメインスイッチ５０４のオフ時に動作し、オン時に停止する。本実施形態では、後述のとおり、第１除湿ヒータ１０４及び第２除湿ヒータ１０５は、メインスイッチ５０４がオンであっても、機外温度に応じて給電制御されて動作（発熱）することがある。
【００３９】
第３リレー５０８は、画像読取装置１０１のＤＣ電源４１０及び原稿搬送装置４１７のドライバ４１４への給電制御を行う。ＤＣコントローラ４０６は、画像読取装置１０１及び原稿搬送装置４１７を動作させる際に、第３リレー５０８を導通状態にして、画像読取装置１０１及び原稿搬送装置４１７に給電する。
【００４０】
省電力制御のために、画像処理部４０２及び原稿搬送装置４１７への電力供給は、未使用時に制限される。例えば画像形成装置４１８が画像形成処理を連続して行う場合、画像読取装置１０１及び原稿搬送装置４１７は、原稿の画像読取処理を行わない。この場合、ＤＣコントローラ４０６は、第３リレー５０８を遮断状態にして画像読取装置１０１及び原稿搬送装置４１７への電力の供給を停止する。システムコントローラ４０１は、ＤＣＤＣ電源５１６により画像処理部４０２の内部用に生成されたＤＣ電圧の画像処理部４０２への供給を停止する。
【００４１】
画像読取装置１０１及び原稿搬送装置４１７へ電力供給を行う場合、ＤＣコントローラ４０６は、第２リレー５０７を遮断状態にして第１除湿ヒータ１０４及び第２除湿ヒータ１０５への給電を遮断する。第１除湿ヒータ１０４及び第２除湿ヒータ１０５への給電を遮断することで、原稿読取時の消費電力を低減することができる。なお、操作部６０１により、画像形成装置４１８の動作状態に応じた第１除湿ヒータ１０４及び第２除湿ヒータ１０５への給電状態が設定可能である。これは、例えば第１除湿ヒータ１０４及び第２除湿ヒータ１０５に対する給電状態を細目に切り替える必要が無い場合、即ち、除湿モードを優先したい場合に有効である。設定内容は、不揮発性メモリ４２６に保存される。連続して原稿を読み取る場合、画像読取装置１０１は、通電により内部が昇温する。そのために、第１除湿ヒータ１０４及び第２除湿ヒータ１０５への給電を遮断しても、画像読取装置１０１の内部は、急激に温度が低下しない。
【００４２】
（第１除湿ヒータ１０４及び第２除湿ヒータ１０５による加熱）
図７は、第１除湿ヒータ１０４及び第２除湿ヒータ１０５による画像読取装置１０１の加熱処理の説明図である。図７（ａ）は、加熱時の画像読取装置１０１の温度の測定位置を示す。図７（ｂ）は、各位置の温度の測定結果を例示する。第１除湿ヒータ１０４及び第２除湿ヒータ１０５は、１００Ｖ／１０Ｗ仕様のヒータである。図７（ｂ）は、第１除湿ヒータ１０４及び第２除湿ヒータ１０５に、ＡＣ８５．０［Ｖ］、ＡＣ１００．０［Ｖ］、ＡＣ１２４．５［Ｖ］、ＡＣ１２７．０［Ｖ］の電力を供給して昇温したときに収束した温度である到達温度を表す。第１除湿ヒータ１０４及び第２除湿ヒータ１０５に供給されるＡＣ電圧は、ヒータの仕様の範囲で電圧値が変化する。
【００４３】
図７（ｂ）によると、第１除湿ヒータ１０４及び第２除湿ヒータ１０５を常時オンさせることで、画像読取装置１０１内部の各測定位置７０２〜７１３の温度は、機外温度７０１に対して高く維持される。ただし、第１除湿ヒータ１０４及び第２除湿ヒータ１０５の発熱量に対して画像読取装置１０１のサイズが大きいために、各測定位置７０２〜７１３の温度と機外温度７０１との温度差はそれほど大きくならない。
【００４４】
図８は、メインスイッチ５０４がオンされて第１除湿ヒータ１０４及び第２除湿ヒータ１０５を停止した状態の画像読取装置１０１の機内温度の推移の説明図である。ここでは、画像形成装置４１８のメインスイッチ５０４がオンされて画像読取装置１０１による画像読取処理と画像形成装置４１８による画像形成処理とが可能なスタンバイ状態が維持されるときの、画像読取装置１０１の機内温度の特性８０１を表す。機内温度は、時間の経過とともに徐々に上昇する。機外温度８０２は、画像形成装置４１８が設置される室内の気温である。点線を温度収束ポイント８０３とした場合、機外温度８０２が２３［℃］の環境では機内温度は完全には収束していないが、変動幅が所定の温度範囲内（ここでは±１［℃］以内）に安定する。
【００４５】
本実施形態では、上述した通り、機外温度に応じて、メインスイッチ５０４の状態にかかわらず、一旦停止された第１除湿ヒータ１０４及び第２除湿ヒータ１０５が、動作することがある。この場合、第１除湿ヒータ１０４及び第２除湿ヒータ１０５が動作を開始してからの経過時間が、機内温度が安定するまでにかかる所定の時間Ｔｓ（温度収束ポイント８０３）に到達したタイミングで、第１除湿ヒータ１０４及び第２除湿ヒータ１０５が停止される。
【００４６】
図８は、第１除湿ヒータ１０４及び第２除湿ヒータ１０５による加熱がない状態であっても、時間をかければ画像読取装置１０１の機内温度を機外温度８０２よりも約１５［℃］高い状態で維持できることを示す。しかし、機外温度８０２を３２．５［℃］とした場合、図７（ｂ）に示すように、商用電源５０１のバラツキにより、第１除湿ヒータ１０４及び第２除湿ヒータ１０５をオンにした際の到達温度が振れる。ＡＣ１００Ｖ時の原稿台ガラス１０３の表面温度（測定位置７０４〜７０７）は、機外温度に対して＋５〜１０［℃］程度の上昇となる。即ち、第１除湿ヒータ１０４及び第２除湿ヒータ１０５により常時加熱すると、機内温度を機外温度よりも高く維持できる。
【００４７】
画像形成装置４１８のメインスイッチ５０４がオンされて第１除湿ヒータ１０４及び第２除湿ヒータ１０５を停止すると、原稿台ガラス１０３の表面が露点温度になる場合がある。これは、機外温度が極端に冷え切った状態で画像形成装置４１８の設置された部屋が空調により暖められることで、機外温度が急上昇し、それほど暖められていない原稿台ガラス１０３の表面に暖められた外気が流入するためである。本実施形態では、このような現象を防止するために、画像形成装置４１８のメインスイッチ５０４がオンされたときに第１除湿ヒータ１０４及び第２除湿ヒータ１０５への給電を継続する除湿モードの制御を行う。この制御の詳細は後述する。
【００４８】
（結露する水分量）
図９は、飽和水蒸気圧曲線の例示図である。飽和水蒸気圧曲線９０３は、以下に示すTetensの近似式から算出される飽和水蒸気圧ｅ（ｔ）をプロットしてつなぎ合わせることで描画される。
・Tetensの近似式
ｅ（ｔ）＝６．１０７８×１０{7.5t /(t+237.3)}
【００４９】
第１温度検出部４０８の検出結果により、画像形成装置４１８周辺の機外温度が３０［℃］であると検出されたとする。湿度検出部４０９の検出結果により、画像形成装置４１８周辺の相対湿度が６０［％］であると検出されたとする。
Ａ点は、飽和水蒸気圧曲線９０３から求められる、気温３０［℃］のときの飽和水蒸気圧（４２．４４［ｈＰａ］）である。Ｂ点は、気温３０［℃］のときの飽和水蒸気圧（Ａ点）に対する相対湿度６０［％］の水蒸気圧（２５．４６［ｈＰａ］）を示す。Ｂ点の水蒸気圧が矢印９０４で示すＣ点に推移した場合、即ち、水蒸気圧が変化しないで、気温が２１．３８［℃］まで下がった場合、Ｃ点が、この気温における飽和水蒸気圧となる。このときの温度が露点温度ｔ３となる。Ａ点の飽和水蒸気圧とＢ点の水蒸気圧は、Tetensの近似式と相対湿度から算出される。Ｃ点の温度は、ｔ３＝２３７．３×log10（６．１１／ｅ1（ｔ））／（log10（ｅ1（ｔ）／６．１１）−７．５）の式により算出される。
【００５０】
この時点で画像読取装置１０１の機内温度が２１．３８［℃］以下である場合、室温（機外温度）３０［℃］、相対湿度６０［％］の外気が流入することで、画像読取装置１０１内部に結露が生じ始める。例えば、画像形成装置４１８周辺の気温が下がり、Ｃ点から矢印９０５で示すＤ点（１０［℃］）に推移した場合、矢印９０６で示したＥ点とＤ点との差分の水蒸気圧は、１８．０９［ｈＰａ］（＝２５．４６−７．３７）となる。２５．４６［ｈＰａ］は、Ｂ点（Ｄ点）の水蒸気圧である。７．３７［ｈＰａ］はＥ点の水蒸気圧であり、気温１０［℃］、相対湿度６０［％］の水蒸気圧をTetensの近似式から求めた値である。
【００５１】
飽和水蒸気量ａ（ｔ）は、ａ（ｔ）＝２１７・ｅ（ｔ）／（ｔ＋２７３．１５）の式より算出される。そのために飽和水蒸気量ａ（ｔ）は、ａ（２１．３８℃）−ａ（１０℃）＝１８．７６−９．４１＝９．３５［ｇ］となる。１８．７６［ｇ］は、Ｃ点（Ｄ点）の飽和水蒸気量をTetensの近似式から算出した値である。９．４１［ｇ］は、飽和水蒸気圧曲線９０３における気温１０［℃］、水蒸気圧７．３７［ｈＰａ］の飽和水蒸気量をTetensの近似式から算出した値である。
このように、結露する水分量が算出される。上記の例では、気温が３０［℃］（Ｂ点）から１０［℃］（Ｄ点）に下がることで、１ｍ3あたり９．３５［ｇ］の水分が結露する。
【００５２】
（結露防止処理１）
図１０は、結露防止処理を表すフローチャートである。この処理は、メインスイッチ５０４がオフされて第１除湿ヒータ１０４及び第２除湿ヒータ１０５が発熱している状態から、メインスイッチ５０４がオンされるタイミングで開始される。ＤＣコントローラ４０６は、メインスイッチ５０４がオンされると（Ｓ１００１）、第２リレー５０７を遮断状態にして、第１除湿ヒータ１０４及び第２除湿ヒータ１０５への給電を停止する。これにより第１除湿ヒータ１０４及び第２除湿ヒータ１０５がオフになり、発熱が停止する（Ｓ１００２）。
【００５３】
システムコントローラ４０１は、第１温度検出部４０８の検出結果をＤＣコントローラ４０６を介して取得し、周囲の機外温度ｔ１を検出する（Ｓ１００３）。システムコントローラ４０１は、検出した機外温度ｔ１を画像処理部４０２のＲＡＭ４２１に格納する。画像処理部４０２は、ＲＡＭ４２１に格納された機外温度ｔ１が所定温度未満であるか否かを判定する（Ｓ１００４）。所定温度は、過去に結露が発生しなかった温度に応じて設定される。画像処理部４０２は、機外温度ｔ１が高ければ、そもそも結露が発生する可能性が低いためにこの判定を行う。本実施形態では、画像処理部４０２は、機外温度ｔ１が５［℃］未満であるか否かを判定する。
【００５４】
機外温度ｔ１が５［℃］未満である場合（Ｓ１００４：Y）、画像処理部４０２は、ＤＣコントローラ４０６により第２リレー５０７を導通状態にして、第１除湿ヒータ１０４及び第２除湿ヒータ１０５への給電を開始する。また画像処理部４０２は、除湿タイマをスタートする（Ｓ１００５）。除湿タイマは、第１除湿ヒータ１０４及び第２除湿ヒータ１０５により加熱が行われる時間を計測するためのタイマである。画像処理部４０２は、原稿を走査して読取処理を実行するか否かを判断する（Ｓ１００６）。画像処理部４０２は、機外温度ｔ１が５［℃］より高い場合（Ｓ１００４：N）、ＤＣコントローラ４０６は、第２リレー５０７を遮断状態にしたままであり、第１除湿ヒータ１０４及び第２除湿ヒータ１０５への給電が停止されたままである。この場合、画像処理部４０２は、原稿を走査して読取処理を実行するか否かを判断する。原稿走査がリクエストされている場合（Ｓ１００６：Y）、画像処理部４０２は、原稿走査処理を実行する（Ｓ１００７）。Ｓ１００７の処理の詳細については後述する。
【００５５】
原稿走査処理の終了後、或いは原稿走査がリクエストされていない場合（Ｓ１００６：N）、画像処理部４０２は、除湿タイマが計測した累積時間ｔが所定の時間Ｔｓ以上になったか否かを確認する（Ｓ１００８）。累積時間ｔが時間Ｔｓ以上になっていない場合（Ｓ１００８：N）、画像処理部４０２は、Ｓ１００６以降の処理を繰り返し実行する。累積時間ｔが時間Ｔｓ以上になった場合（Ｓ１００８：Y）、画像処理部４０２は処理を終了する。時間Ｔｓは、図８で説明したように、画像読取装置１０１が第１除湿ヒータ１０４及び第２除湿ヒータ１０５による加熱無しで、自己発熱により機内温度の変動幅が所定の温度範囲内で安定するまでにかかる時間である。例えば時間Ｔｓは、機外温度が常温のときに２時間に設定される。時間Ｔｓは、第２温度検出部４１３の検出結果に基づいて、単位時間当たりの温度変化量が小さくなっていくことをモニタして、設定されてもよい。例えば、時間Ｔｓは、１０分間で機内温度の変化が０．２［℃］以下となるときの時間に設定される。
【００５６】
図１０（ｂ）は、Ｓ１００７の原稿走査処理を表すフローチャートである。
原稿走査を行う場合、画像処理部４０２は、まず、第１除湿ヒータ１０４及び第２除湿ヒータ１０５の制御を細目に行う低消費電力制御を行うか否かを判断する（Ｓ１０４１）。低消費電力を優先する場合、原稿走査処理及び画像形成処理中に、第１除湿ヒータ１０４及び第２除湿ヒータ１０５はオフされる。低消費電力を優先しない場合、第１除湿ヒータ１０４及び第２除湿ヒータ１０５は常時オンされる。このような設定内容は、不揮発性メモリ４２６に予め保存される。画像処理部４０２は、不揮発性メモリ４２６の設定内容を確認することで、この判断を行う。
【００５７】
低消費電力制御を行わない場合（Ｓ１０４１：N）、画像処理部４０２は、キャリッジ２０１による原稿の走査を実行する（Ｓ１０４７）。なお、詳細な説明を省略するが、通常、原稿走査は、原稿走査の開始前にシェーディング白板を走査し、走査結果に基づいたシェーディング補正を行いながら行われる。画像処理部４０２は、原稿の走査が完了するまで原稿走査を実行する（Ｓ１０４８：N、Ｓ１０４７）。
【００５８】
低消費電力制御を行う場合（Ｓ１０４１：Y）、画像処理部４０２は、第１除湿ヒータ１０４及び第２除湿ヒータ１０５が給電されているか否かを判断する（Ｓ１０４２）。画像処理部４０２は、機外温度ｔ１が５［℃］未満でＳ１００５の処理でＤＣコントローラ４０６が第２リレー５０７を導通したか否かにより、この判断を行う。第１除湿ヒータ１０４及び第２除湿ヒータ１０５がオフの場合（Ｓ１０４２：N）、画像処理部４０２は、Ｓ１０４７及びＳ１０４７の処理により、原稿の走査を行う。
【００５９】
第１除湿ヒータ１０４及び第２除湿ヒータ１０５が給電されてオンになっている場合（Ｓ１０４２：Y）、画像処理部４０２は、ＤＣコントローラ４０６に第２リレー５０７を遮断させる（Ｓ１０４３）。これにより第１除湿ヒータ１０４及び第２除湿ヒータ１０５は、給電が終了してオフになる。第１除湿ヒータ１０４及び第２除湿ヒータ１０５をオフにした後に、画像処理部４０２は、キャリッジ２０１による原稿の走査を実行する（Ｓ１０４４）。画像処理部４０２は、原稿の走査が完了するまで原稿走査を実行する（Ｓ１０４５：N、Ｓ１０４４）。
【００６０】
原稿の走査が完了すると（Ｓ１０４５：Y）、画像処理部４０２は、第１除湿ヒータ１０４及び第２除湿ヒータ１０５を再度オンにして動作させる（Ｓ１０４６）。画像処理部４０２は、ＤＣコントローラ４０６に第２リレー５０７を導通させることで、第１除湿ヒータ１０４及び第２除湿ヒータ１０５に給電を開始してオンにする。画像処理部４０２は、第１除湿ヒータ１０４及び第２除湿ヒータ１０５をオンにして、原稿走査処理を終了する。
【００６１】
以上のように、画像形成装置４１８のメインスイッチ５０４がオンされて画像形成装置４１８及び画像読取装置１０１がスタンバイ状態で待機する間も、機外温度が所定温度未満であれば、第１除湿ヒータ１０４及び第２除湿ヒータ１０５がオンされて発熱する。これにより、画像読取装置１０１の機内温度の低下を防止することができる。その間、画像読取装置１０１の自己発熱により機内温度がさらに上昇するために、画像読取装置１０１内の結露の発生を防ぐことが可能である。画像形成装置４１８においても、同様にヒータを内蔵して制御することで、結露の発生を防止することができる。
【００６２】
（結露防止処理２）
画像形成装置４１８及び画像読取装置１０１は、連続して動作することで自己発熱により機内温度が徐々に上昇する。しかし、画像読取装置１０１の光電変換部２０３の受光素子２１５の表面に設けられるカラーフィルタは、熱の影響で特性が劣化することがある。そのために、カラーフィルタの品質を保証する閾値温度ＴＭＰｍａｘを超えないように、画像読取装置１０１の機内温度を制御する必要がある。この処理では、予め決定される閾値温度ＴＭＰｍａｘを画像読取装置１０１の機内温度が超えないように、第２温度検出部４１３の検出結果に基づいて第１除湿ヒータ１０４及び第２除湿ヒータ１０５が制御される。閾値温度ＴＭＰｍａｘは、予め例えば不揮発性メモリ４２６に保存される。
【００６３】
図１１は、結露防止処理を表すフローチャートである。図１０のＳ１００１〜Ｓ１００４の処理と同様に、画像処理部４０２は、メインスイッチ５０４がオンされると、第１除湿ヒータ１０４及び第２除湿ヒータ１０５をオフにし、機外温度ｔ１が所定温度未満であるか否かを判定する（Ｓ１１０１〜Ｓ１１０４）。機外温度ｔ１が５［℃］未満である場合（Ｓ１１０４：Y）、画像処理部４０２は、ＤＣコントローラ４０６により第２リレー５０７を導通状態にして、第１除湿ヒータ１０４及び第２除湿ヒータ１０５への給電を開始する（Ｓ１１０５）。画像処理部４０２は、原稿を走査して読取処理を実行するか否かを判断する（Ｓ１１０６）。画像処理部４０２は、機外温度ｔ１が５［℃］より高い場合（Ｓ１１０４：N）にも原稿を走査して読取処理を実行するか否かを判断する。原稿走査がリクエストされている場合（Ｓ１１０６：Y）、画像処理部４０２は、原稿走査処理を実行する（Ｓ１１０７）。Ｓ１１０７の処理の詳細は、図１０（ｂ）に示したとおりである。
【００６４】
原稿走査処理の終了後、或いは原稿走査がリクエストされていない場合（Ｓ１１０６：N）、画像処理部４０２は、画像読取装置１０１の機内温度ｔｍｐ＿ｉｎが閾値温度ＴＭＰｍａｘ以上であるか否かを判断する（Ｓ１１０８）。画像処理部４０２は、第２温度検出部４１３の検出結果に応じて機内温度ｔｍｐ＿ｉｎを測定する。第２温度検出部４１３は、図５に示すように光電変換部２０３に設けられるため、機内温度ｔｍｐ＿ｉｎは、光電変換部２０３（カラーフィルタ）の温度になる。
機内温度ｔｍｐ＿ｉｎが閾値温度ＴＭＰｍａｘ未満の場合（Ｓ１１０８：N）、画像処理部４０２は、Ｓ１１０６以降の処理を繰り返し実行する。機内温度ｔｍｐ＿ｉｎが閾値温度ＴＭＰｍａｘ以上の場合（Ｓ１１０８：Y）、画像処理部４０２は、処理を終了する。この際、画像処理部４０２は、第１除湿ヒータ１０４及び第２除湿ヒータ１０５をオフにして、機内温度のさらなる上昇を抑制する。
【００６５】
以上のように、第２温度検出部４１３の検出結果に応じて第１除湿ヒータ１０４及び第２除湿ヒータ１０５への給電を制御する。これにより、画像読取装置１０１の機内温度が閾値温度ＴＭＰｍａｘに到達するまで第１除湿ヒータ１０４及び第２除湿ヒータ１０５へ給電が行われる。そのために、画像読取装置１０１の機内温度の低下を防止しつつ、温度による内蔵する部品の劣化を防止することができる。これにより画像読取装置１０１内の結露の発生を、部品の劣化を防止しながら、防ぐことが可能となる。画像形成装置４１８においても、同様にヒータを内蔵して制御することで、結露の発生及び熱による部品の劣化を防止することができる。
【００６６】
（結露防止処理３）
結露防止処理１及び結露防止処理２を組み合わせて、結露を防止することも可能である。図１２は、この場合の結露防止処理を表すフローチャートである。
【００６７】
図１０のＳ１００１〜Ｓ１００４の処理と同様に、画像処理部４０２は、メインスイッチ５０４がオンされると、第１除湿ヒータ１０４及び第２除湿ヒータ１０５をオフにし、機外温度ｔ１が所定温度未満であるか否かを判定する（Ｓ１２０１〜Ｓ１２０４）。機外温度ｔ１が５［℃］未満である場合（Ｓ１２０４：Y）、画像処理部４０２は、図１０のＳ１００５の処理と同様に、第１除湿ヒータ１０４及び第２除湿ヒータ１０５への給電を開始し、且つ除湿タイマをスタートする（Ｓ１２０５）。画像処理部４０２は、原稿を走査して読取処理を実行するか否かを判断する（Ｓ１２０６）。画像処理部４０２は、機外温度ｔ１が５［℃］より高い場合（Ｓ１２０４：N）にも原稿を走査して読取処理を実行するか否かを判断する。原稿走査がリクエストされている場合（Ｓ１２０６：Y）、画像処理部４０２は、原稿走査処理を実行する（Ｓ１２０７）。Ｓ１２０７の処理の詳細は、図１０（ｂ）に示したとおりである。
【００６８】
原稿走査処理の終了後、或いは原稿走査がリクエストされていない場合（Ｓ１２０６：N）、画像処理部４０２は、画像読取装置１０１の機内温度ｔｍｐ＿ｉｎが閾値温度ＴＭＰｍａｘ以上であるか否かを判断する（Ｓ１２０８）。機内温度ｔｍｐ＿ｉｎが閾値温度ＴＭＰｍａｘ未満の場合（Ｓ１２０８：N）、画像処理部４０２は、Ｓ１２０６以降の処理を繰り返し実行する。機内温度ｔｍｐ＿ｉｎが閾値温度ＴＭＰｍａｘ以上の場合（Ｓ１２０８：Y）、画像処理部４０２は、除湿タイマが計測した累積時間ｔが所定の時間Ｔｓ以上になったか否かを確認する（Ｓ１２０９）。累積時間ｔが時間Ｔｓ以上になっていない場合（Ｓ１２０９：N）、画像処理部４０２は、Ｓ１２０６以降の処理を繰り返し実行する。累積時間ｔが時間Ｔｓ以上になった場合（Ｓ１２０９：Y）、画像処理部４０２は処理を終了する。
【００６９】
以上のように画像形成装置４１８のメインスイッチ５０４がオンされた後でも、機外温度が所定温度未満であれば、第１除湿ヒータ１０４及び第２除湿ヒータ１０５への給電が継続される。そのために、画像読取装置１０１の設置環境が極めて低温になる環境であっても、画像読取装置１０１の機内温度を機外温度よりも高く維持することができる。また、その間、画像読取装置１０１の自己発熱により機内温度がさらに上昇するために、画像読取装置１０１内の結露の発生を防ぐことが可能である。画像形成装置４１８においても、同様にヒータを内蔵して制御することで、結露の発生を防止することができる。
【００７０】
（画像読取装置の他の構成）
図１３は、画像読取装置の他の構成例示図である。この画像読取装置１０１ａは、キャリッジ２０１を備えず、キャリッジ２０１の機能を分散した構成で実現する。画像読取装置１０１ａは、原稿に光を照射するために、照明部２０５及び第１ミラー１１０１を搭載した第１ユニット１１０２と、第２ミラー１１０３及び第３ミラー１１０４を搭載した第２ユニット１１０５と、を備える。画像読取装置１０１ａは、反射光を受光するために、複数のミラー及び集光レンズ２０４を含む光学系と、光学系により導かれた反射光が結像される、光電変換基板２０２に実装された光電変換部２０３を備える。
【００７１】
このような構成の画像読取装置１０１ａであっても、結露が発生し得る箇所は、ミラー、集光レンズ等であり、上記のような処理により、結露発生のリスクを回避することができる。なお、画像形成装置４１８内部の露光器等も防塵硝子などで密閉された場所に設けられて、結露が発生する可能性がある。これらについても、上記のような処理によって、結露発生のリスクを回避することができる。
【００７２】
画像読取装置１０１で使用可能な等倍型の光電変換部２０３には、ＣＩＳ（CMOS Image Sensor）が広く用いられている。画像読取装置１０１は、ＣＩＳと、照明部２０５及び光学系をユニット化して、キャリッジ２０１同様に、摺動制御して原稿を読み取る構成であっても、上記の結露防止処理により結露発生のリスクを回避できる。
【図１】
2019124825.tif 000003
【図２】
2019124825.tif 000004
【図３】
2019124825.tif 000005
【図４】
2019124825.tif 000006
【図５】
2019124825.tif 000007
【図６】
2019124825.tif 000008
【図７】
2019124825.tif 000009
【図８】
2019124825.tif 000010
【図９】
2019124825.tif 000011
【図１０】
2019124825.tif 000012
【図１１】
2019124825.tif 000013
【図１２】
2019124825.tif 000014
【図１３】
2019124825.tif 000015